(57)【要約】【課題】  複数の電気機器の使用者に、各電気機器の単位時間あたりの消費電力量を確実に把握させることのできる節電奨励システムを提供する。【解決手段】  コンセント２０ａ〜２０ｄに設けられたリーダ・ライタ２２ａ〜２２ｄは、電気機器のプラグ３０ａ〜３０ｄに内蔵されたＩＣタグ３２ａ〜３２ｄから、その電気機器の単位時間当たりの消費電力量情報（以下、電力量情報）を読み出し、その読み出した電力量情報を、ＩＣタグ２４ａ〜２４ｄに書き込む。そして、そのＩＣタグ２４ａ〜２４ｄに書き込まれた電力量情報は、使用者が携帯する携帯電話４０或いは腕時計４６に読み込まれるとともに、液晶表示パネル４２或いは液晶画面４８に表示され、使用者に報知される。【選択図】  図１
2007018171.tif 000002
【特許請求の範囲】
【請求項１】
商用交流電源に接続される電気機器を使用する使用者に対して、節電を促すための節電奨励システムであって、
前記電気機器の給電用のプラグが挿入されて、そのプラグを商用交流電源に接続させる給電用のコンセントを備え、
前記電気機器の給電用のプラグには、当該電気機器の単位時間当たりの消費電力量情報が記憶された第１の無線チップが設けられており、
更に、前記コンセントには、
無線により情報の書き込み及び読み出しが可能な第２の無線チップと、
当該コンセントに挿入された前記プラグの第１の無線チップから前記消費電力量情報を読み出して、その消費電力量情報を前記第２の無線チップに書き込む書込手段とが備えられ、
前記第２の無線チップに書き込まれた情報が、前記使用者に携帯される携帯装置に読み込まれ、その情報が当該携帯装置に備えられた表示手段に表示されるように構成されていること、
を特徴とする節電奨励システム。
【請求項２】
商用交流電源に接続される複数の電気機器を使用する使用者に対して、節電を促すための節電奨励システムであって、
前記各電気機器の給電用のプラグが挿入されて、その各プラグを商用交流電源に接続される複数のコンセントが並設されるとともに、この各コンセントに共通の通電線を介して前記商用交流電源からの電力が供給されるよう構成された電源タップを備え、
前記各電気機器の給電用のプラグには、当該電気機器の単位時間当たりの消費電力量情報が記憶された第１の無線チップが設けられており、
更に、前記電源タップには、
無線により情報の書き込み及び読み出しが可能な第２の無線チップと、
前記各コンセントに挿入された前記各プラグの第１の無線チップから前記消費電力量情報を読み出して、その消費電力量情報を前記第２の無線チップに書き込む書込手段と、
前記通電線に流れる電流を検出するとともに、その検出した電流値が前記通電線について予め定められた許容値以内であるか否かを判定する判定手段と、
前記判定手段により前記通電線に流れる電流値が前記許容値を超えたと判定された場合に、警告を表す警告情報を前記第２の無線チップに書き込む警告書込手段とが備えられ、
前記第２の無線チップに書き込まれた情報が、前記使用者に携帯される携帯装置に読み込まれ、その情報が当該携帯装置に備えられた表示手段に表示されるように構成されていること、
を特徴とする節電奨励システム。
【請求項３】
請求項１又は請求項２に記載の節電奨励システムにおいて、
前記携帯装置として、携帯電話が用いられることを特徴とする節電奨励システム。
【請求項４】
請求項１又は請求項２に記載の節電奨励システムにおいて、
前記携帯装置として、腕時計が用いられることを特徴とする節電奨励システム。
【請求項５】
請求項１ないし請求項４の何れか１項に記載の節電奨励システムにおいて、
前記携帯装置は、前記第２の無線チップに書き込まれている情報（以下、第２チップ情報と言う）を読み出して当該携帯装置の表示手段に表示した際に、第２チップ情報を表示したことを使用者に報知する報知手段を備えていることを特徴とする節電奨励システム。
【発明の詳細な説明】
【技術分野】
【０００１】
本発明は、ＩＣタグを利用して、電気機器の使用者に節電を促す節電奨励システムに関する。
【背景技術】
【０００２】
近年、二酸化炭素等のいわゆる温室効果ガスが排出されることによる地球温暖化等の環境問題が取り沙汰されている。そして、例えば家庭、企業、工場等においては、二酸化炭素の排出を抑えるために、節電、つまり電力の消費を抑制する取り組みが積極的に行われている。
【０００３】
そして、従来、上述したような場所においては、電灯やエアコン等の電気機器の本体或いは電気機器のプラグが差し込まれるコンセント等に、その電気機器が単位時間に消費する電力量やその電力量料金が掲示され、電気機器を使用する使用者がそれらを認識できるようにされている。すると、使用者の節電に対する意識が高まり、電気機器がこまめにオフされるようになるなど、節電効果が現れることが確認されている。
【０００４】
また、コンセントから電気機器のプラグを介して電気機器に供給される電流を検出し、検出した電流値から電気機器の消費電力量や消費電力量料金を算出する電源供給装置が知られている（例えば、特許文献１参照）。
【０００５】
この電源供給装置は、電気機器のプラグを接続する接続用コンセントと、この接続用コンセントに商用交流電源からの交流電流を供給する電力供給ラインとを備えているとともに、接続用コンセントから電気機器へ供給される電流を検出し、その検出値から電気機器が消費した電力量やその電力量料金を算出する。そして、この電力量や電力量料金を表す情報が、電源供給装置に備えられた液晶モニタに表示されるようになっている。
【特許文献１】特開２００２−１８６１７８
【発明の開示】
【発明が解決しようとする課題】
【０００６】
しかしながら、上述したような電気機器の消費電力量やその電力量料金を掲示するような方法では、掲示箇所によっては、使用者がその掲示内容を見づらいという問題が生じる。そのため、使用者は、意識して掲示された内容を確認するようにしないと、その内容を把握することができない。
【０００７】
また、上記特許文献１のような方法では、使用者は、電気機器が消費した電力量やその電力量料金を知るために、コンセントに接続された電源供給装置の液晶モニタを見ないといけない。このような動作は面倒であり、使用者は、意識しないと電気機器の消費電力量や消費電力量料金を把握することができない。
【０００８】
このように、従来の方法では、使用者の節電に対する意識が高まらず、節電効果が上がりにくいという問題があった。
本発明は、こうした問題に鑑みなされたもので、電気機器を使用する使用者に対して節電意識を確実に持たせることのできる節電奨励システムを提供することを目的とする。
【課題を解決するための手段】
【０００９】
かかる問題を解決するためになされた請求項１に記載の発明は、商用交流電源に接続される電気機器を使用する使用者に対して、節電を促すための節電奨励システムであって、前記電気機器の給電用のプラグが挿入されて、そのプラグを商用交流電源に接続させる給電用のコンセントを備え、前記電気機器の給電用のプラグには、当該電気機器の単位時間当たりの消費電力量情報が記憶された第１の無線チップが設けられており、更に、前記コンセントには、無線により情報の書き込み及び読み出しが可能な第２の無線チップと、当該コンセントに挿入された前記プラグの第１の無線チップから前記消費電力量情報を読み出して、その消費電力量情報を前記第２の無線チップに書き込む書込手段とが備えられ、前記第２の無線チップに書き込まれた情報が、前記使用者に携帯される携帯装置に読み込まれ、その情報が当該携帯装置に備えられた表示手段に表示されるように構成されていること、を特徴とする。
【００１０】
このように構成された請求項１に記載の節電奨励システムでは、給電用のコンセントに備えられた書込手段が、電気機器のプラグに設けられた第１の無線チップに記憶されているその電気機器の単位時間あたりの消費電力量情報を読み出して、その読み出した消費電力量情報を第２の無線チップに書き込むようになっている。また、第２の無線チップに書き込まれた消費電力量情報は、電気機器を使用する使用者が携帯する携帯装置に読み込まれるとともに、携帯装置の表示手段に表示される。
【００１１】
この請求項１に記載の節電奨励システムによれば、使用者が意識しなくても、電気機器の消費電力量情報が使用者が携帯する携帯装置の表示手段に表示される。よって、使用者に電気機器の消費電力量情報を確実に把握させることができる。このため、使用者に対し節電意識を確実に持たせることができる。
【００１２】
なお、第１の無線チップに記憶された消費電力用情報が、直接、使用者が携帯する携帯装置に読み込まれるようにすることも考えられるが、そのようにすると、以下のような問題が考えられる。
【００１３】
すなわち、第１の無線チップは、例えば電気機器の製造時に電気機器のプラグに内蔵されるものであり、第１の無線チップ毎に通信距離が異なることが考えられる。そのため、例えば２つの電気機器について、一方の電気機器のプラグに内蔵された第１の無線チップの消費電力量情報は、所定の距離にて携帯装置に読み込まれたとしても、他方については、その消費電力量情報が所定の距離にて携帯装置に読み込まれないことが考えられる。つまり、両方の消費電力量情報が使用者の携帯装置に安定して読み込まれることが難しい。
【００１４】
これに対して、請求項１に記載の節電奨励システムでは、そのような問題が生じず、電気機器の消費電力量情報が確実に携帯装置に読み込まれてその表示手段に表示され、使用者に確実に把握させることができるようになる。
【００１５】
次に、請求項２に記載の発明は、商用交流電源に接続される複数の電気機器を使用する使用者に対して、節電を促すための節電奨励システムであって、前記各電気機器の給電用のプラグが挿入されて、その各プラグを商用交流電源に接続される複数のコンセントが並設されるとともに、この各コンセントに共通の通電線を介して前記商用交流電源からの電力が供給されるよう構成された電源タップを備え、前記各電気機器の給電用のプラグには、当該電気機器の単位時間当たりの消費電力量情報が記憶された第１の無線チップが設けられており、更に、前記電源タップには、無線により情報の書き込み及び読み出しが可能な第２の無線チップと、前記各コンセントに挿入された前記各プラグの第１の無線チップから前記消費電力量情報を読み出して、その消費電力量情報を前記第２の無線チップに書き込む書込手段と、前記通電線に流れる電流を検出するとともに、その検出した電流値が前記通電線について予め定められた許容値以内であるか否かを判定する判定手段と、前記判定手段により前記通電線に流れる電流値が前記許容値を超えたと判定された場合に、警告を表す警告情報を前記第２の無線チップに書き込む警告書込手段とが備えられ、前記第２の無線チップに書き込まれた情報が、前記使用者に携帯される携帯装置に読み込まれ、その情報が当該携帯装置に備えられた表示手段に表示されるように構成されていること、を特徴とする。
【００１６】
このように構成された請求項２に記載の節電奨励システムでは、給電用のコンセントを複数備える電源タップに設けられた書込手段が、各電気機器のプラグに設けられた第１の無線チップに記憶されているその電気機器の単位時間あたりの消費電力量情報を読み出して、その読み出した消費電力量情報を第２の無線チップに書き込むようになっている。
【００１７】
また、警告書込手段は、判定手段により通電線に流れる交流電流値が予め定められた規定値を超えたと判断された場合に、警告を表す警告情報を第２の無線チップに書き込むようになっている。
【００１８】
そして、第２の無線チップに書き込まれた各種情報は、電気機器を使用する使用者が携帯する携帯装置に読み込まれるとともに、携帯装置の表示手段に表示される。
この請求項２に記載の節電奨励システムによれば、使用者が意識しなくても、各電気機器の消費電力量情報が使用者が携帯する携帯装置の表示手段に表示される。よって、使用者に各電気機器の消費電力量情報を確実に把握させることができる。このため、使用者に対し節電意識を確実に持たせることができる。
【００１９】
また、書込手段は、通電線に流れる交流電流値が許容値を超えた場合に、警告を表す警告情報を第２の無線チップに書き込むので、警告が使用者に通知されることになり、安全な節電奨励システムを提供することができる。
【００２０】
また、電気機器毎に第１の無線チップに記憶された各消費電力量情報を、１つの第２の無線チップに書き込んで、その第２の無線チップに書き込まれた各消費電力量情報が携帯装置の表示手段に表示されるよう構成できるので、システムの構成が簡単になり、安価に節電奨励システムを提供することができる。
【００２１】
なお、第１の無線チップに記憶された消費電力用情報が、直接、使用者が携帯する携帯装置に読み込まれるようにすることも考えられるが、前述したような理由により、第１の無線チップに記憶された消費電力量情報を電源タップの第２の無線チップに書き込み、その書き込んだ消費電力量情報が携帯装置に読み込まれるようにするとよい。
【００２２】
ところで、請求項１又は請求項２に記載の節電奨励システムにおける前記携帯装置としては、請求項３に記載のように、携帯電話が用いられることが望ましい。
また、請求項４に記載のように、腕時計が用いられることも考えられる。
【００２３】
なぜなら、近年、無線チップの情報を読み込む機能が付加された携帯電話や腕時計が考えられており、このような携帯電話や腕時計を本システムの携帯装置として用いれば、第２の無線チップの情報を読み込むために新たな携帯装置を設けなくてもよく、より安価に本節電奨励システムを提供することができるからである。
【００２４】
また、請求項１ないし請求項４の何れか１項に記載の節電奨励システムにおいて、前記携帯装置は、請求項５に記載のように、前記第２の無線チップに書き込まれている情報（以下、第２チップ情報と言う）を読み出して当該携帯装置の表示手段に表示した際に、第２チップ情報を表示したことを使用者に報知する報知手段をさらに備えていることが望ましい。
【００２５】
この請求項５に記載の節電奨励システムによれば、第２の無線チップの情報が携帯装置に読み込まれて表示手段に表示された際には、そのことが使用者に報知されるので、使用者は、電気機器の消費電力量情報が表示されたことがすぐに分かる。よって、使用者に、電気機器の消費電力量情報を、より確実に把握させることができるようになる。
【発明を実施するための最良の形態】
【００２６】
以下に、本発明の実施形態を図面に基づき説明する。
［第１実施形態］
まず、図１は本発明が適用された第１実施形態の節電奨励システムの構成を表す構成図である。
【００２７】
図１に示すように、本実施形態の節電奨励システムでは、冷蔵庫５０、テレビ５１、電灯５２、エアコン５３等（以下、単に電気機器とも言う）の各プラグ３０ａ，３０ｂ，３０ｃ，３０ｄを差し込むためのコンセント２０ａ，２０ｂ，２０ｃ，２０ｄは、商用交流電流を供給する電力線１０に接続されている。
【００２８】
そして、プラグ３０ａ〜３０ｄには、各電気機器の単位時間当たりの消費電力量を表す情報（以下、電力量情報と言う）が記憶されたＩＣタグ３２ａ，３２ｂ，３２ｃ，３２ｄが内蔵されている。なお、本実施形態においては、電力量情報として、単位時間当たりの消費Ｗ（ワット）数が扱われる。
【００２９】
また、コンセント２０ａ〜２０ｄには、プラグ３０ａ〜３０ｄのうち、自身に差し込まれた何れかのプラグのＩＣタグ３２ａ〜３２ｄに記憶された情報の読み出し及び書き込みを行うリーダ・ライタ２２ａ，２２ｂ，２２ｃ，２２ｄと、そのリーダ・ライタ２２ａ〜２２ｄにより読み出された情報が書き込まれるためのＩＣタグ２４ａ，２４ｂ，２４ｃ，２４ｄとが設けられている。
【００３０】
つまり、リーダ・ライタ２２ａ〜２２ｄにより、ＩＣタグ３２ａ〜３２ｄから各電気機器の電力量情報が読み込まれ、さらにその情報がＩＣタグ２４ａ〜２４ｄに書き込まれるようになっている。
【００３１】
そして、ＩＣタグ２４ａ〜２４ｄに書き込まれた電力量情報は、使用者が携帯する携帯電話４０や腕時計４６（以下、単に携帯機器とも言う）に読み込まれ、携帯電話４０が備える液晶表示パネル４２或いは腕時計４６が備える液晶画面４８（以下、単に表示パネルとも言う）に表示される。なお、本節電奨励システムで用いられる携帯電話４０や腕時計４６は、ＣＰＵと、情報を記憶するメモリと、ＩＣタグ２４ａ〜２４の情報を読み込むリーダ部とを備えている。また、リーダ・ライタ２２ａ〜２２ｄは、ＣＰＵと、情報を記憶するメモリとを備えている。
【００３２】
このように、ＩＣタグ３２ａ〜３２ｄに記憶された電力量情報を、一旦リーダ・ライタ２２ａ〜２２ｄにて読み出してＩＣタグ２４ａ〜２４ｄに書き込み、そのＩＣタグ２４ａ〜２４ｄに書き込まれた電力量情報が携帯機器に読み込まれるようにすることで、使用者に各電気機器の電力量情報を確実に把握させることができるようになる。
【００３３】
ここで、例えば、ＩＣタグ３２ａ〜３２ｄに記憶された電力量情報が、直接携帯機器に読み込まれるように構成しても良いが、そのようにすると、次のような問題が生じることが考えられる。
【００３４】
すなわち、ＩＣタグ３２ａ〜３２ｄは、各電気機器の製造者が各電気機器に内蔵させるものであり、その通信距離は、ＩＣタグ毎に異なることが考えられるため、例えば２つの電気機器について、一方の電気機器のプラグに内蔵されたＩＣタグの電力量情報は所定の距離にて問題なく携帯機器に読み込まれたとしても、他方については、その電力量情報が所定の距離にて携帯機器に読み込まれないというようなことも考えられる。
【００３５】
本実施形態においては、そのような問題が生じず、各電気機器の電力量情報が使用者が携帯する携帯機器に確実に読み込まれ、その表示パネルに表示されるため、使用者に各電気機器の電力量情報を確実に把握させることができる。
【００３６】
次に、各リーダ・ライタ２２ａ〜２２ｄ、及び携帯機器（携帯電話４０及び腕時計４６）がそれぞれ備えるＣＰＵが実行する処理について、図２及び図３を用いて説明する。
まず、図２は、リーダ・ライタ２２ａ〜２２ｄのＣＰＵが実行する処理を表すフローチャートである。なお、ここでは、リーダ・ライタ２２ａについて説明するが、他のリーダ・ライタ２２ｂ〜２２ｄについても同様である。
【００３７】
この処理においては、まずＳ１１０にて、プラグ３０ａ〜３０ｄのうち、自身のコンセントに差し込まれたプラグ（この例では、プラグ３０ａ）に内蔵されたＩＣタグ３２ａから、電力量情報を読み出したか否かを判定する。読み出していないと判定すると、再びこのＳ１１０の判定処理を行う。
【００３８】
一方、Ｓ１１０にて電力量情報を読み出したと判定すると、次にＳ１２０へ移行し、その読み出した情報を、メモリに記憶させる。
次に、Ｓ１３０へ移行し、コンセント２０ａに設けられたＩＣタグ２４ａに電力量情報が書き込まれているか否かを判定する。具体的には、実際にＩＣタグ２４ａと通信を行い、ＩＣタグ２４ａから電力量情報を読み込むことができれば、ＩＣタグ２４ａに電力量情報が書き込まれていると判定し、逆に読み込むことができなければ、電力量情報が書き込まれていないと判定する。
【００３９】
そして、Ｓ１３０にて、ＩＣタグ２４ａに情報が書き込まれていないと判定すると、次にＳ１４０へ移行し、ＩＣタグ３２ａから読み出し（Ｓ１１０）、メモリに記憶させた（Ｓ１２０）対象の電力量情報を、ＩＣタグ２４ａに書き込む。そしてその後、当該処理を終了する。
【００４０】
一方、Ｓ１３０にて、ＩＣタグ２４ａに電力量情報が書き込まれていると判定すると、次に、Ｓ１５０へ移行し、その電力量情報が、対象の電力量情報と同一か否かを判定する。ここで、同一であると判定すると、そのまま当該処理を終了する。
【００４１】
一方、Ｓ１５０にて、同一でないと判定すると、次にＳ１６０へ移行し、対象の電力量情報を、ＩＣタグ２４ａに上書きするか否かを判定する。具体的には、ＩＣタグ３２ａから読み出して（Ｓ１１０）、メモリに記憶させた（Ｓ１２０）電力量情報と同じ電力量情報が、Ｓ１１０にて読み出してから所定時間経過後、再びＩＣタグ３２ａから読み込まれた場合に、上書きすると判定する。これは、例えば、プラグ３０ａがコンセント２０ａ付近を通過したのみでは、プラグ３０ａのＩＣタグ３２ａの情報が、ＩＣタグ２４ａに上書きされないようになっている。さらに言うと、例えばプラグ３０ａがコンセント２０ａに差し込まれて、その電気機器が使用中、或いはこれから使用されるような状態である場合に、そのプラグ３０ａに内蔵されたＩＣタグ３２ａの電力量情報が、ＩＣタグ２４ａに上書きされるようになっているのである。
【００４２】
Ｓ１６０の処理にて上書きすると判定すると、次にＳ１７０へ移行し、対象の電力量情報を、ＩＣタグ２４ａに上書きする。そしてその後、当該処理を終了する。
一方、Ｓ１６０にて上書きしないと判定した場合も、当該処理を終了する。
【００４３】
次に、図３は、携帯電話４０及び腕時計４６のＣＰＵが実行する処理を表すフローチャートである。なお、ここでは、携帯電話４０について説明するが、腕時計４６についても同様である。
【００４４】
この処理においては、まずＳ２１０にて、携帯電話４０のリーダ部が、ＩＣタグ２４ａ〜２４ｄより電力量情報を読み出したか否かを判定する。読み出していないと判定すると、再びこのＳ２１０の判定処理を行う。
【００４５】
一方、Ｓ２１０にて電力量情報を読み出したと判定すると、次にＳ２２０へ移行し、その読み出した電力量情報を、携帯電話４０のメモリに記憶させる。
次に、Ｓ２３０へ移行し、ＩＣタグ２４ａ〜２４ｄから読み出され（Ｓ２１０）、メモリに記憶させた（Ｓ２２０）対象の電力量情報が、液晶表示パネル４２に表示中であるか否かを判定する。表示中であると判定すると、そのまま当該処理を終了する。
【００４６】
一方、Ｓ２３０にて、表示中でないと判定すると、次にＳ２４０へ移行し、対象の電力量情報を液晶表示パネル４２に表示させる。
次に、Ｓ２５０へ移行し、液晶表示パネル４２に電力量情報を表示させたことを、使用者に報知する。具体的には、所定の音を発して、使用者に報知するようになっている。
【００４７】
以上のように、本実施形態の節電奨励システムにおいては、コンセント２０ａ〜２０ｄに設けられたリーダ・ライタ２２ａ〜２２ｄが、電気機器の電力量情報を、電気機器のプラグ３０ａ〜３０ｄに内蔵されたＩＣタグ３２ａ〜３２ｄから読み出し、その読み出した電力量情報を、コンセント２０ａ〜２０ｄに設けられたＩＣタグ２４ａ〜２４ｄに書き込む。そして、そのＩＣタグ２４ａ〜２４ｄに書き込まれた電力量情報は、使用者が携帯する携帯電話４０或いは腕時計４６に読み込まれ、液晶表示パネル４２或いは液晶画面４８に表示されるとともに、表示されたことが使用者に報知されるようになっている。
【００４８】
よって、本節電奨励システムによれば、使用者が意識しなくても、各電気機器の電力量情報が携帯機器の表示パネルに表示され、使用者に各電気機器の消費電力量を確実に把握させることができるので、使用者の節電意識を高め、節電効果を上げることができる。
【００４９】
なお、本実施形態においては、リーダ・ライタ２２ａ〜２２ｄが書込手段に相当し、携帯電話４０及び腕時計４６が携帯装置に相当し、液晶表示パネル４２及び液晶画面４８が表示手段に相当し、ＩＣタグ３２ａ〜３２ｄが第１の無線チップに相当し、ＩＣタグ２４ａ〜２４ｄが第２の無線チップに相当している。また、図３のＳ２５０の処理が、報知手段に相当している。
［第２実施形態］
次に、第２実施形態の節電奨励システムについて説明する。
【００５０】
図４は、第２実施形態の節電奨励システムの構成を表す構成図である。
本第２実施形態の節電奨励システムにおいては、第１実施形態におけるコンセント２０ａ〜２０ｄが、一つのコンセントタップ２０として構成されており、このコンセントタップ２０に、リーダ・ライタ２２と、ＩＣタグ２４とがそれぞれ一つずつ設けられている。そして、リーダ・ライタ２２は、電気機器のプラグ３０ａ〜３０ｄに内蔵されたＩＣタグ３２ａ〜３２ｄから、各電気機器の電力量情報を読み出し、その電力量情報をＩＣタグ２４に書き込むようになっている。なお、ＩＣタグ２４には、少なくとも、ＩＣタグ３２ａ〜３２ｄにそれぞれ記憶されている電力量情報を全て書き込めるようになっている。
【００５１】
また、リーダ・ライタ２２には、電力線１０に流れる商用交流電流、言い換えると、電力線１０からコンセントタップ２０に供給される商用交流電流を検出する電流計２６が内蔵されている。そして、リーダ・ライタ２２は、電流計２６により検出される電流値も読み取れるように構成されている。
【００５２】
なお、携帯電話４０と腕時計４６の構成は、第１実施形態と同様である。また、リーダ・ライタ２２は、リーダ・ライタ２２ａ〜２２ｄと同様、ＣＰＵと情報を記憶するメモリとを備えている。
【００５３】
次に、図５は、リーダ・ライタ２２のＣＰＵが実行する処理を表すフローチャートであり、リーダ・ライタ２２は、図３の処理に加えて、この図５の処理を実行する。なお、リーダ・ライタ２２のＣＰＵは、図３の処理を実行した後、この図５の処理を実行する。
【００５４】
この処理においては、まずＳ３１０にて、電流計２６により検出される電流値を読み込む。
次に、Ｓ３２０へ移行し、Ｓ３１０にて読み込んだ電流値が、電力線１０について（つまり、コンセントタップ２０について）予め定められた許容値以上であるか否かを判定する。許容値以上でないと判定すると、そのまま当該処理を終了する。
【００５５】
一方、Ｓ３２０にて、許容値以上であると判定すると、次に、Ｓ３３０へ移行する。
Ｓ３３０では、電力線１０からコンセントタップ２０に供給されている商用交流電流値が、コンセントタップ２０について予め定められて許容値以上であるという警告を表す警告情報を、ＩＣタグ２４に書き込む。そしてその後、当該処理を終了する。
【００５６】
なお、携帯電話４０及び腕時計４６のＣＰＵは、第１実施形態同様図３の処理を実行するようになっている。そして、リーダ・ライタ２２が図５の処理を行い、警告情報がＩＣタグ２４に書き込まれた場合には、携帯電話４０及び腕時計４６において、その警告情報が読み込まれ、液晶表示パネル４２或いは液晶画面４８に警告情報が表示されるとともに、使用者に報知されることとなる。
【００５７】
以上のような本第２実施形態の節電奨励システムによれば、第１実施形態の節電奨励システムと同様の効果が得られる上に、コンセントタップ２０に設けられた一つのリーダ・ライタ２２が、ＩＣタグ３２ａ〜３２ｄに記憶された電力量情報を読み出して、その電力量情報を一つのＩＣタグ２４に書き込むようになっている。よって、システムの構成を簡単にでき、安価に節電奨励システムを提供することができる。
【００５８】
また、リーダ・ライタ２２は、電力線１０からコンセントタップ２０に供給される交流電流値を、電流計２６から読み出し、その値がコンセントタップ２０について予め定められた許容値を超える場合には、警告情報をＩＣタグ２４に書き込むようになっている。よって、危険な状態を使用者に報知することができ、安全な節電奨励システムを提供することができる。
【００５９】
なお、本第２実施形態においては、リーダ・ライタ２２及び電流計２６が判定手段に相当し、リーダ・ライタ２２が、書込手段、警告書込手段に相当し、携帯電話４０及び腕時計４６が携帯装置に相当し、液晶表示パネル４２及び液晶画面４８が表示手段に相当し、ＩＣタグ３２ａ〜３２ｄが第１の無線チップに相当し、ＩＣタグ２４が第２の無線チップに相当している。また、図３のＳ２５０の処理が、報知手段に相当している。
【００６０】
以上、本発明の一実施形態について説明したが、本発明は、上記実施形態に限定されるものではなく、本発明の技術範囲内にて種々の形態を採ることができる。
例えば、上記第１実施形態では、リーダ・ライタは、プラグのＩＣタグから読み出した情報とコンセントのＩＣタグに書き込まれている情報とが同一の場合には、その読み出した情報をコンセントのＩＣタグに上書きしない（処理を終了する）ようになっているが、同一の場合でも上書きするような構成としてもよい。
【００６１】
さらに、リーダ・ライタは、プラグのＩＣタグから読み出した情報をコンセントのＩＣタグに上書きするか否かを判定するように構成されているが、必ず上書きするような構成としてもよい。
【００６２】
また、上記各実施形態では、電気機器の単位時間当たりの消費電力量情報（電力量情報）として、消費Ｗ（ワット）数を電気機器のプラグに内蔵されたＩＣタグから読み出し、コンセントに設けられたＩＣタグに書き込んで、さらに携帯機器に読み込まれるように構成しているが、単位時間当たりの電気料金といったような他の情報を対象としても良い。
【００６３】
また、リーダ・ライタや、携帯機器側にて、消費ワット数から電気料金を算出するような構成としても良い。
また、上記各実施形態では、表示パネルに電気機器の電力量情報が表示されたことを使用者に報知する際に、携帯機器から所定の音が発せられるようになっているが、この音には、音声を含めるようにしてもよい。また、携帯機器を振動させて報知するようにしても良いし、表示パネルを発光させて報知するようにしても良い。
【００６４】
また、上記各実施形態では、携帯機器として、携帯電話及び腕時計が用いられているが、ＰＨＳ（簡易携帯電話）、ＰＤＡ（携帯情報端末）、ノートパソコン、或いは携帯音楽プレイヤー等、携帯可能な各種機器を用いることもできる。
【００６５】
また、上記第２実施形態では、コンセントタップにリーダ・ライタとＩＣタグとがそれぞれ一つづつ設けられているが、コンセントタップに接続可能なプラグに対応して、リーダ・ライタとＩＣタグとをそれぞれ複数設けるような構成としても良い。
【図面の簡単な説明】
【００６６】
【図１】節電奨励システムの構成を表す構成図である。
【図２】リーダ・ライタのＣＰＵが実行する処理を表すフローチャートである。
【図３】携帯電話及び腕時計のＣＰＵが実行する処理を表すフローチャートである。
【図４】第２実施形態の節電奨励システムの構成を表す構成図である。
【図５】第２実施形態のリーダ・ライタのＣＰＵが実行する処理を表すフローチャートである。
【符号の説明】
【００６７】
１０…電力線、２０…コンセントタップ、２０ａ，２０ｂ，２０ｃ，２０ｄ…コンセント、２２，２２ａ，２２ｂ，２２ｃ，２２ｄ…リーダ・ライタ、２４，２４ａ，２４ｂ，２４ｃ，２４ｄ…ＩＣタグ、２６…電流計、３２ａ，３２ｂ，３２ｃ，３２ｄ…ＩＣタグ、４０…携帯電話、４２…液晶表示パネル、４６…腕時計、４８…液晶画面、５０…冷蔵庫、５１…テレビ、５２…電灯、５３…エアコン
【図１】
2007018171.tif 000003
【図２】
2007018171.tif 000004
【図３】
2007018171.tif 000005
【図４】
2007018171.tif 000006
【図５】
2007018171.tif 000007